(57)【要約】      （修正有）【課題】モバイルバッテリーを提供する。【解決手段】モバイルバッテリーは、支持台１０、スライド台２０、弾性ベルト３０及びバッテリーユニットを含む。バッテリーユニットは、支持台内に設置し、支持台は突起した少なくとも一つの第一挟持片１１を備える。スライド台は支持台に設置し、且つ直線状にスライドし、スライド台は設置面２３を備え、設置面はスマートフォンを置くのに用いる。設置面は突起した少なくとも一つの第二挟持片２１を備え、第二挟持片の位置は第一挟持片と相互に対応し、スライド台は支持台の一部外周を被覆し、他に少なくとも一つの側向壁２２を備える。弾性ベルトの一部は支持台に固定され、残り部分はスライド台の側向壁に巻き付くか、もしくは固定する。弾性ベルトは引張力を提供することで、第二挟持片と第一挟持片をスマートフォン両側にきつく挟持する。【選択図】図１
0003204102.tif 000002
【実用新案登録請求の範囲】
【請求項１】
モバイルバッテリーにおいて、
突起した少なくとも一つの第一挟持片を備える支持台と、
該支持台内部に設置し、電池部及び電池部と電気連接したコネクタを含み、該コネクタの一部は、支持台外側に露出するバッテリーユニットと、
該支持台に設置し且つその上を直線状にスライドし、設置面を備え、該設置面にはスマートフォンを置き、該設置面は突起した少なくとも一つの第二挟持片を備え、該第二挟持片の位置は該第一挟持片と相互に対応し、該スライド台が該支持台でスライドすると、該第二挟持片は該第一夾持片へ近づいたり遠ざかったりし、他に少なくとも一つの側向壁を備え且つ該支持台外周を被覆するスライド台と、
一部は該支持台に固定され、その残りは該スライド台の側向壁に巻きつくか、もしくは固定し、該設置面に該スマートフォンを置くと、該弾性ベルトが引張力を提供し、該第二挟持片と第一挟持片によって該スマートフォン両側をきつく挟持する弾性ベルトを含むことを特徴とするモバイルバッテリー。
【請求項２】
前記支持台は、背中合わせの位置に二辺の側壁を備え、該側壁は該スライド台の滑動方向に平行で、該側壁箇所には、他に少なくとも一つのスライドレールを備え、該スライド台の周囲には三辺の該側向壁を備え、そのうち、背中合わせの位置にある二辺の該側向壁は該支持台の側壁に向き合い、該側向壁の内部は他に、少なくとも一つのスライド槽を備え、該スライドレールは該スライド槽内に位置することを特徴とする請求項１記載のモバイルバッテリー。
【請求項３】
前記支持台は、階段状の第一階段体及び第二階段体を備え、該第一階段体の形状及び高さは共に該第二階段体より大きく、該スライド台は該第二階段体上に設置し、該スライド台の周囲は三辺の該側向壁を備え、且つ該第二階段体の外周を被覆し、該第一挟持片は該第一階段体で突出し、且つスライド台の第二挟持片と相互に対応することを特徴とする請求項１記載のモバイルバッテリー。
【請求項４】
前記側向壁は、露出表面に内向きに凹んだコード槽を備え、該弾性ベルトは該コード槽内に設置することを特徴とする請求項１記載のモバイルバッテリー。
【請求項５】
前記弾性ベルトは、環状で、該支持台の内部は掛合槽を備え、該弾性ベルトの一部は該掛合槽内で制限され、その残りの箇所は該スライド台の周囲の数辺の該側向壁を囲んで接触することを特徴とする請求項１記載のモバイルバッテリー。
【考案の詳細な説明】
【技術分野】
【０００１】
本考案は、モバイルバッテリーに関するもので、特に該モバイルバッテリーがスマートフォンを固定することで充電中にユーザーがスマートフォンを使うのを便利にする。
【背景技術】
【０００２】
科学技術の発達に拠って、現代人はスマートフォンを普遍的に使用するようになった。加えて各種のアプリを使用することで、スマートフォンによって人と人の遠距離の連絡道具だけでなく、スマートフォンを映像プレイヤー、ゲーム機、衛星ナビゲーション…等にすることができるようになった。スマートフォンの付属機能が次々に増加するに従って、電力消耗速度は上がり、充電頻度は増えていく。そのため、多くの人は少なくとも一個のモバイルバッテリーを予備として準備している。
【考案の概要】
【考案が解決しようとする課題】
【０００３】
この種のモバイルバッテリーは通常一本の接続コードで該スマートフォンと電気連接する。解決しようとする問題点は、充電作業中、スマートフォンとモバイルバッテリーの両者はひとつに固定することができない。仮にスマートフォン、モバイルバッテリー及び接続コードを同じ袋の中に入れると、接続コードには長さがあるので、袋の中は常にその他物品に引っかかり、接続プラグが緩んだり、充電が切れたりしてしまう。もしくは充電中、ユーザーがスマートフォンを使用したい時、該接続コードはスマートフォンの使用範囲を制限し、ユーザーは自由に移動したり、操作したりできない。
【課題を解決するための手段】
【０００４】
本考案は、支持台、スライド台、弾性ベルト及びバッテリーユニットを含む。該バッテリーユニットは、該支持台内に設置し、該支持台は突起した少なくとも一つの第一挟持片を備える。該スライド台は該支持台に設置し、且つ直線状にスライドし、該スライド台は設置面を備え、該設置面はスマートフォンを置くのに用いる。該設置面は突起した少なくとも一つの第二挟持片を備え、該第二挟持片の位置は該第一挟持片と相互に対応し，該スライド台は該支持台の一部外周を被覆し、他に少なくとも一つの側向壁を備える。該弾性ベルトの一部は該支持台に固定され、残り部分は該スライド台の側向壁に巻き付くか、もしくは固定する。該弾性ベルトは引張力を提供することで、該第二挟持片と第一挟持片を該スマートフォン両側にきつく挟持することを最も主要な特徴とする。
【考案の効果】
【０００５】
本考案のモバイルバッテリーは、構造が簡単で且つ使用しやすい挟持構造で、充電時両者は簡単にひとつに固定し、ユーザーが充電している時に、自由に該スマートフォンを操作するという利点がある。
【図面の簡単な説明】
【０００６】
【図１】本考案の立体図である。
【図２】本考案の支持台、スライド台の両者分解図である。
【図３】本考案のすべての部品の分解図である。
【図４】本考案の支持台の第一筐体と弾性ベルトの構造指示図である。
【図５】本考案のスライド台が引っ張られて展開した状態指示図である。
【図６】本考案のモバイルバッテリーがスマートフォンに固定された立体図である。
【考案を実施するための形態】
【０００７】
モバイルバッテリーは、別に構造が簡単で且つ使用しやすい挟持構造で、充電時両者は簡単にひとつに固定し、ユーザーが充電している時に、自由に該スマートフォンを操作するモバイルバッテリーを提供することを本考案の主な目的とする。
【０００８】
簡単な挟持構造であり、該モバイルバッテリー内部は長方形扁平状の電池を採用し、本考案の薄型挟持構造であるため、モバイルバッテリー全体の厚みは大きくならず、ユーザーが操作上の不便や重さを感じないモバイルバッテリーを提供することを本考案の次の目的とする。
【０００９】
上述の目的を達成するため、本考案は支持台、スライド台、弾性ベルト、及びバッテリーユニットを含む。該バッテリーユニットは、電池部及び電気連接するコネクタを含む。該電池部及び該コネクタは該支持台内に設置し、該コネクタの一部は該支持台から露出する。該支持台は突起した少なくとも一つの第一挟持片を備える。該スライド台は該支持台に設置し、且つそこを直線状にスライドし、該スライド台は設置面を備え、該設置面にはスマートフォンを置く。該設置面は突起した少なくとも一つの第二挟持片を備え、該第二挟持片の位置は該第一挟持片と相互に対応し、該スライド台が該支持台で滑動すると、該第二挟持片は該第一挟持片に向かって近づいたり遠ざかったりする。該スライド台は、別に少なくとも一つの側向壁を備え、該側向壁は該支持台外周を被覆する。該弾性ベルトの一部は、該支持台に拠って固定され、その残りの部分は該スライド台の側向壁に巻き付くか固定し、該設置面に該スマートフォンが置かれると、該弾性ベルトの引張力に拠って、該第二挟持片と第一挟持片が該スマートフォン両側をきつく挟持する。
【００１０】
本考案は、該スライド台によって単層設置方式で、該支持台に設置され、次に該弾性ベルトによって該スライド台外周の側向壁に巻きつき、該支持台箇所を固定し、引張力で挟持する。これらに拠って該スライド台の増加する厚みは最も低くなり、該スライド台が該支持台に設置されても、モバイルバッテリー全体構造の厚みが大きくならず、該モバイルバッテリーがスマートフォンを固定しても、ユーザーはスマートフォンを手に持って、操作することができる。
【実施例】
【００１１】
以下図式及び部品番号と共に、本考案の実施方式を詳細に説明することで、当領域に習熟した者が本考案を元に実施できるようにする。
【００１２】
図１、図２及び図３に示すのは、それぞれ本考案の立体図及び分解図である。本考案のモバイルバッテリーは、支持台１０、スライド台２０、弾性ベルト３０、及びバッテリーユニット４０を含む。該バッテリーユニット４０は、該支持台１０内に設置し、モバイルバッテリーの電力貯蔵ユニットとする。該スライド台２０は該支持台１０に設置し、且つその上を直線状にスライドする。該支持台１０は少なくとも一第一挟持片１１を備え、該スライド台２０は少なくとも一第二挟持片２１を備える。該弾性ベルト３０は一部が該支持台１０に固定され、その余った部分は該スライド台２０外周に巻きつける。ユーザーがかけた力が該弾性ベルト３０の弾力よりも大きいと、該第二挟持片２１は押されて該第一挟持片１１から遠ざかる。反対に、外力がなくなると、該弾性ベルト３０の回復力によって該第二挟持片２１と第一挟持片１１がスマートフォン両側できつく挟持する。
【００１３】
図２に示すとおり、該支持台１０の形状は長方体の階段状で型体は第一階段体１２及び第二階段体１３に分かれる。該第一階段体１２の形状及び高さは共に該第二階段体１３より大きく、該第二階段体１３上には該スライド台２０を設置する。該第一挟持片１１は該第一階段体１２上に凸設し、当実施例においては、第二挟持片２１は二個備える。その他、該第二階段体１３箇所の背中合わせの位置には二個の側壁１４を設置し、その側壁１４は該スライド台２０の滑動方向に平行で、該側壁１４は外向きに突起した少なくとも一つのスライドレール１４１を備える。
【００１４】
該支持台１０型体は、単一の部品もしくは複数から構成されるもので、当実施例において、その中のひとつを説明しているにすぎない。図３に示すとおり、該支持台１０は、第一筐体１５及び第二筐体１６が組み合わさって構成され、組立後、内部は空間を形成し、該空間は該バッテリーユニット４０を納置するのに用いられる。該バッテリーユニット４０は電池部４１、制御基板４２、及びコネクタ４３を含む。該電池部４１は扁平の長方体で全体の厚みを下げるのに用いられる。該電池部４１、制御基板４２及びコネクタ４３の三者は電気連接し、電気供給及び充電作業を行う。該コネクタ４３の一部は、該支持台１０の外部に露出し、対応するスマートフォンが充電中に接続コードと連接する。その他、該支持台１０は、該プラスチック一体射出成型でもよく、加工方式は支持台１０において注入成型の時、該電池部４１、制御基板４２、及びコネクタ４３等の部品をひとつにパッケージングする。当然、該バッテリーユニット４０はライト、スイッチ等部品も含むが、当該部分は公知と同じであるため、ここでは表示しない。
【００１５】
該スライド台２０は該支持台１０に設置し、且つ直線状にスライドする。該スライド台２０の形状は長方型の筐体で、該支持台１０の第二階段体１３外周に設置し被覆する。組立後、該スライド台２０と該第一階段体１２は完全な長方型体を形成する。該スライド台２０の周囲は、三辺の側向壁２２が囲み、そのうちの二つの位置にある背中合わせの側向壁２２の内壁は他に少なくとも一つのスライド槽２２１を備え、該スライド槽２２１は該スライドレール１４１と相互に対応する。該スライド台２０は他に設置面２３を備え、該設置面２３にはスマートフォンを置く。該第二挟持片２１は該設置面２３に凸設する。該第二挟持片２１の位置は該第一挟持片１１に対応し、該スライド台２０が該支持台１０上を滑動すると、該第二挟持片２１は該第一挟持片１１に近づくかもしくは遠ざかる。該スライド台２０の側向壁２２の露出表面は他に内凹のコード槽２２２を備える。
【００１６】
該弾性ベルト３０は、伸長及び自主回復の弾性ベルトで、締め付けを提供するのに用い、該第二挟持片２１を該第一挟持片１１方向へ近づける。該弾性ベルト３０はゴムもしくは弾性を備えた材質で構成され、該弾性ベルト３０の両端はそれぞれ該スライド台もしくは支持台に固定してもよい。但し、生産及び組立の便利性のため、図３及び図４に示すとおり、当実施例において、該弾性ベルト３０は環状であり、該支持台１０は該第一筐体１５内に於いて、掛合槽１５１を備える。組立後、該弾性ベルト３０の一部は、該掛合槽１５１内で制限され、その残りの部分は該スライド台２０の周囲の側向壁２２を囲み、該弾性ベルト３０も該コード槽２２２内に位置する。
【００１７】
上図５及び図６に示すとおり、本考案モバイルバッテリーでスマートフォンに充電する時、ユーザーは該スライド台２０を該第一挟持片１１へ遠ざかる方向へ押してスマートフォン５０を該設置面２３及び第一階段体１２上に置く。外から力がない状態になると、該弾性ベルト３０の引張力によって該第二挟持片２１と第一挟持片１１が該スマートフォン５０両側を挟み付ける。その後接続コードで該モバイルバッテリー及びスマートフォンを電気連接し、充電作業を行う。図から分かるとおり、本考案のモバイルバッテリーが該スマートフォン５０を固定すると，全体的な厚みはそれほど増えず、ユーザーは手軽にスマートフォン５０を持って、ビデオ鑑賞、もしくはゲームを楽しむことができる。
【００１８】
以上は本考案の良好な実施例を説明したにすぎず、図式は本考案に対して制限するものではなく、同じ創作精神に基づく本考案の如何なる修飾もしくは変更も全ては本考案の請求項に含まれるものとする。
【符号の説明】
【００１９】
１０          支持台
１１          第一挟持片
１２          第一階段体
１３          第二階段体
１４          側壁
１４１        スライドレール
１５          第一筐体
１６          第二筐体
２０          スライド台
２１          第二挟持片
２２          側向壁
２２１        スライド槽
２２２        コード槽
２３          設置面
３０          弾性ベルト
４０          バッテリーユニット
４１          電池部
４２          制御基板
４３          コネクタ
５０          スマートフォン
【図１】
0003204102.tif 000003
【図２】
0003204102.tif 000004
【図３】
0003204102.tif 000005
【図４】
0003204102.tif 000006
【図５】
0003204102.tif 000007
【図６】
0003204102.tif 000008